(57)【要約】      （修正有）【課題】防御性、機密性、保温性、遮光性、遮音性等の機能及び強度と剛性に優れた球体状の容器をもって、小鳥、小型哺乳類及び犬、猫等小動物等の営巣習性に合致した巣箱又はベッドを提供する。【解決手段】球体形状の容器１は、全面曲面の均一な厚みをもつ薄い殻１０で形成され、卵状形状もしくは球状形状もしくは楕円状形状をなす、ＯＡ古紙、段ボール古紙、牛乳古紙、新聞古紙などの生分解性を有するパルプ材を原料として形成される球体形状の容器１において、外面が密で円滑であり、内面が粗であらい面とされ、比較的大きな唯一孔１１が該卵状形状もしくは球状形状もしくは楕円状形状の頂上付近もしくは頂上間の比較的曲率の大きな面に形成される。【選択図】図１
0003130216.tif 000002
【実用新案登録請求の範囲】
【請求項１】
全面曲面の薄い殻で形成され、卵状形状もしくは球状形状もしくは楕円状形状をなす、ＯＡ古紙、段ボール古紙、牛乳古紙、新聞古紙などの生分解性を有するパルプ材を原料として形成される球体形状の容器において、内面が卵状形状もしくは球状形状もしくは楕円状形状をなす成形型に脱水用の多数の小孔およびパルプ溶液吸入用の比較的大きな孔が穿たれた成形体の成形部の内部に、前記パルプ材のパルプ溶解液を前記比較的大きな孔から流し込んで充填し、水分は前記多数の小孔を通過させて成形部外に排出させ、パルプ材を前記内面に堆積させて外面が密で円滑であり、内面が粗であらい面とした成形体が形成され、該成形体が成形型から脱型乾燥されることによって、外面が密で円滑であり、内面が粗である面とされ、比較的大きな孔がそのまま残されたことを特徴とする小鳥、小型哺乳類及び犬、猫等小動物用の球体形状の容器。
【請求項２】
請求項１において、前記球体形状の容器は卵状形状もしくは球状形状もしくは楕円状形状をなし、該卵状形状もしくは球状形状もしくは楕円状形状の頂上付近もしくは頂上間の比較的曲率の大きな面に前記比較的大きな孔が形成されることを特徴とする小鳥、小型哺乳類及び犬、猫等小動物用の球体形状の容器。
【請求項３】
請求項１から２のいずれかにおいて、前記比較的大きな孔は唯一孔とされることを特徴とする小鳥、小型哺乳類及び犬、猫等小動物用の球体形状の容器。
【考案の詳細な説明】
【技術分野】
【０００１】
本考案は、防御性、機密性、保温性、遮光性、遮音性等の機能及び強度と剛性に優れた球体状の容器をもって、野生動物または愛玩動物に関わらず、小鳥やフィレット、ハムスター、ラット等の小型哺乳類及び犬、猫等小動物等の営巣習性に合致した巣箱又はベッドを提供することに関するものである。
【背景技術】
【０００２】
従来の小鳥・小動物用巣箱には、板状木材を所要寸法に切断後釘もしくは接着剤等で組み立てたものがある（例えば、特許文献１参照。）。
また、丸太形状木材の心材部を中刳りし組み立てたものがある（例えば、特許文献２参照。）。また、板紙を素材とした組み立て式のものがある（例えば、特許文献３参照。）。さらに、小動物、犬猫用ベッドには、合成樹脂、木材による柵体をフレームとしその上にクッション材を置配したものがある（例えば、特許文献４参照。）。また、ベッド全体が発泡ウレタン等のクッション材を布で覆った構造をとる布帛製のものがある（例えば、特許文献５参照）。また、強化プラスチックで成型され出入り口を設けた容器がある（例えば、特許文献６参照）
【０００３】
そして、本考案は上記目的を達成するため、生分解性を有するパルプ材を原料として湿式吸引成型法により形成される全面曲面の薄い殻で形成される卵形状もしくは球体形状の容器の構造としたものである。湿式吸引成型法についての基本的且つ技術的方法についてはすでに明らかである（例えば、非特許文献１参照）。
【特許文献１】実開昭４７−８６７６号  公報
【特許文献２】特開平０８−２５６６２５号  公報
【特許文献３】実開平０５−２３８５６号  公報
【特許文献４】特開２００５−１６８３８８  公報
【特許文献５】特許番号３６３５０１９  公報
【特許文献６】実用新案番号３０９４８４２号  公報
【非特許文献１】「日本パルプモールド工業会ホームページ」日本パルプモールド工業会  http://www.pulpmold.gr.jp/index4a.html
【考案の開示】
【考案が解決しようとする課題】
【０００４】
上記特許文献１では、板状木材を所要寸法に切断後釘もしくは接着剤等で組み立てた巣箱が開示されている。
【０００５】
また、上記特許文献２では、丸太形状木材の心材部を中刳りした後、接着あるいは釘打ち組み立てられたものが開示されている。
【０００６】
また、上記特許文献３では、板紙を素材として折り曲げて立体形状とし、差し込みもしくは接着工法で組み立てられた巣箱が開示されている。
【０００７】
また、上記特許文献４では、小動物、犬猫用ベッドには、合成樹脂、木材による柵体をフレームとしその上にクッション材を置配したものがある
【０００８】
また、上記特許文献５では、発泡ウレタン等のクッション材を心材として全体を布で覆った縫製構造をとる布帛製の愛玩動物用ベッドが開示されている。
【０００９】
また、上記特許文献６では、上下に二分して成形した強化プラスチック製の内部空洞と出入り口を有する擬態容器が開示されている。
【００１０】
さらに、上記非特許文献１では、本考案で用いられる巣箱及びベッド構造体の製法である湿式吸引成型法については明らかにされているが、複雑な形状、特に深さのある製品の場合、凹部の原料溜まりや成形型内の原料流れの不均一、あるいは脱水孔の吸引力の不均一などを起こしやすいため、製品の肉厚が均一に成らず乾燥時間が長くなって変形を起こしやすいという欠点がある。
従って、鶏卵トレイや青果物トレイなど比較的浅く、成型角度も緩やかで、しかも製品としては肉厚の薄いものの生産に適しているとされている。
【００１１】
しかしながら、以上に述べた従来の小鳥、小型哺乳類用巣箱の場合、その素材に板状木材もしくは丸太状木材あるいは板紙の何れを用いるか否にかかわらず、産業上供給される素材を加工し、組み立てて製品化する工程を経るため相当の時間とコストを要する。
【００１２】
また、犬、猫用ベッドの場合であっても、合成樹脂あるいは木材によるベッド用柵体フレームの加工・組み立て、さらに布帛製ベッドの場合の裁断、縫製加工、組み立て加工、また、強化プラスチック積層成形など製品化するまで数工程を経るため相当の時間とコストを要することに変わりがない。
【００１３】
小鳥、小型哺乳類及び犬、猫等の小型動物の営巣、睡眠等の生息環境は、外敵の進入や降雨・風雪、温度変化、震動・衝撃、強い光などから身を守るため、自然環境下にある樹洞や地中あるいは岩洞等に営巣する習性をもっている。
【００１４】
このような習性から、小鳥、小型哺乳類、犬、猫等の小動物の多くは音や震動・衝撃、強い光や冷気には極めて敏感に反応し、強いストレスから営巣や睡眠を中断してしまう事例も見受けられる。
【００１５】
特に愛玩用動物の犬、猫の場合は、愛玩者である人間が犬や猫の睡眠、営巣状況を見ることの満足を優先させた材料、構造、形状により製作されているものが多く、これら小鳥、小型哺乳類、犬、猫等の小動物の習性を充分満足していると言い難い。
【００１６】
本考案は、上記した技術背景が有する実情に鑑みて成されたものであって、野生動物または愛玩動物に関わらず、小鳥やフェレット、ハムスター、ラット等の小型哺乳類及び犬、猫等の小動物が安心して営巣する習性を満足できる防御性、機密性、保温性、遮光性、遮音性等の機能及び形成体の強度と剛性に優れ、生分解性を有するパルプ材を原料として形成される球体形状の容器であって、成形物の外面が密で円滑であり、内面が粗である面とされ、比較的大きな孔がそのまま残されたことを特徴とする小鳥、小型哺乳類及び犬、猫等小動物用の球体形状の容器を提供することを課題とする。
【課題を解決するための手段】
【００１７】
全面曲面の薄い殻で形成され、卵状形状もしくは球状形状もしくは楕円状形状をなす、ＯＡ古紙、段ボール古紙、牛乳古紙、新聞古紙などの生分解性を有するパルプ材を原料として形成される球体形状の容器において、内面が卵状形状もしくは球状形状もしくは楕円状形状をなす型に脱水用の多数の小孔およびパルプ溶液を吸入するための比較的大きな孔が穿たれた成形体の成形部の内部に、前記パルプ材のパルプ溶解液を前記比較的大きな孔から流し込んで充填し、水分は前記多数の小孔を通過させて成形部外に排出させ、パルプ材を前記内面に堆積させて外面が密で円滑であり、内面が粗であらい面とした成形体が形成され、該成形体が成形型から脱型乾燥されることによって、外面が密で円滑であり、内面が粗である面とされ、比較的大きな孔がそのまま残されたことを特徴とする球体形状の容器。
【００１８】
請求項１において、前記球体形状の容器は卵状形状もしくは球状形状もしくは楕円状形状をなし、該卵状形状もしくは球状形状もしくは楕円状形状の頂上付近もしくは頂上間の比較的曲率の大きな面に前記比較的大きな孔が形成されることを特徴とする球体形状の容器。
【００１９】
請求項１から２のいずれかにおいて、前記比較的大きな孔は唯一孔とされることを特徴とする球体形状の容器。
【考案の効果】
【００２０】
上記請求項１の課題解決手段による作用は次の通りである。成形体の全面が曲面の薄い殻の形状に形成することにより、中空形状に成形される成形体の全ての殻が均一な厚みを持った一体成形の構造を有することから、成形体としての強度と変形、割裂などを起こさない剛性をもつ容器を提供できる。
【００２１】
また、成形体の全面が曲面の薄い殻の形状に形成された該容器にあっては、強度と剛性を具備するところから、容器の落下もしくは不慮の落下物に起因する小哺乳類、犬、猫等の被害の発生を防止できるとともに、犬小屋、猫小屋としての機能を併せもった機能を特徴とする。
【００２２】
また、該考案の容器にあっては、前記の巣箱が板状木材を所用の寸法に切断し釘、接着剤等で組み立て加工を行う方法もしくは、丸太状の木材の心材部を中刳りし組み立て加工する方法に比べ、加工に要する工程、加工時間、コストを格段に低減することができるとともに、継時的に発生する木材の収縮、捻れ、反り、痩せ等に起因する巣箱製品の強度や機密性の低下を防止できる。
【００２３】
また、該考案の容器にあっては、前記のベッドが木材もしくはプラスチックのベッド構造材上に布帛製のクッション部材を設置しているものの他、ベッドの構造部材すべてが布等の布帛を主要素材としたベッドや強化プラスチック積層成形した容器に比べ、裁断、縫製、積層成形等の加工工程、加工時間、コストを格段に低減することができる。
【００２４】
また、成形体の全面が曲面の薄い殻の形状に形成することにより、形成時における成形型内部の原料溜まりやパルプ堆積部の肉厚の不均一さらには、肉厚の不均一に起因する乾燥時の成形体の変形などの欠点を回避できる。
【００２５】
また、成形体の全面が曲面の薄い殻の形状に形成することにより、成形型内におけるパルプ溶解液の濃度と溶解液の水分を成形部外に排出させる吸引ポンプの吸引力と吸引時間を任意に調整することで、均一な厚みでかつ目的とする肉厚の殻を容易に成形することができる。
【００２６】
また、湿式吸引成型法では、成形体を成形型から脱型するため、成形体の設計時に１／２０前後の抜き勾配を必要とするが、成形体を卵形状もしくは球体形状の形状とすることにより、成形体の最長径点もしくは最短径点を成形型の割面とすることで、成形体の脱型に必要な抜き勾配の課題を解決しており、成形体の脱型が容易で型設計の技術的負担が飛躍的に軽減される。
【００２７】
また、全面曲面の薄い殻で形成され、卵状形状もしくは球状形状に成形される該考案の容器にあっては、容器の底部が半球形状に成型されることにより、小鳥や小型哺乳類が自然環境下の樹洞や地中あるいは岩洞等に営巣し円形かつ半球形状に巣を造る習性に合致し、営巣しやすい巣箱環境の容器を提供することができる。
【００２８】
また、全面曲面の薄い殻で形成される該考案の楕円状形状の容器にあっては、容器の底部を大きな曲率の曲面とすることで、設置時の安定を確保しつつ使用中のかすかな揺れやゆらぎなどの動きを誘発させ、揺りかごもしくは遊具としての機能をもつ容器とすることができる。
【００２９】
また、ＯＡ古紙、段ボール古紙、牛乳古紙、新聞古紙などの生分解性を有するパルプを原料とすることにより、素材のリサイクル性を有し且つ焼却・廃棄が容易で、破棄された場合でも生分解性を有することから自然環境に負荷を与えない容器を提供できる。
【００３０】
ここで生分解性とは、自然環境下で天然に存在する因子、例えばバクテリア、カビ、酵母等の微生物あるいは他の生物により、科学的に破壊され得ることをいう。
【００３１】
また、内面が卵状形状もしくは球状形状もしくは楕円状形状をなす型に比較的大きな孔が穿たれた成形体の成形部の内部に、前記パルプ材のパルプ溶液を前記比較的大きな孔から流し込んで充填し、水分は前記の脱水用の多数の小孔を通過させて成形部外に排出させ、パルプ材を前記内面に堆積させることにより、成形体の外面が密で円滑であり、内面が粗であらい面とした成形体が形成できる。
【００３２】
上記を特徴とする卵状形状もしくは球状形状の容器を、小鳥や小型哺乳類の巣箱として用いる場合、内面が粗であらい面は小鳥や小型哺乳類が内壁に止まり易いよう足掛かりとすることができる。
【００３３】
また、パルプ溶液吸入用の比較的大きな孔が穿たれた成形体の成形部で形成される成形体は、脱型乾燥後の成形体に比較的大きな孔がそのまま残されることにより、小鳥、小型哺乳類及び犬、猫等小動物等の巣箱もしくはベッドとして用いる場合の出入り口孔としての機能を満足することができる。
【００３４】
上記請求項２の課題解決手段による作用は次の通りである。該卵状形状もしくは球状形状もしくは楕円状形状の頂上付近もしくは頂上間の比較的曲率の大きな面にパルプ溶解液を流し込む吸引孔として前記比較的大きな孔を形成することで、球体形状の成形体の最長径点もしくは最短径点を成形部の成形型の割面とすることにより、成形体の脱型に必要な抜き勾配の課題を解決しており、成形物の脱型が容易である。
【００３５】
また、前記比較的大きな孔を形成した成形部の成形型において、パルプ溶解液を流し込む吸引孔としての前記比較的大きな孔をパルプ溶解液に垂直状且つ成形型の割面を水平方向に配置することで、パルプ溶解液中でパルプ溶解液を前記比較的大きな孔から流し込んで充填し、水分は前記多数の小孔を通過させて成形部外に排出させ、パルプ材を前記内面に堆積させて成形体を形成した後、成形部の成形型をパルプ溶解液外に引き上げることによって、成形型内の残留パルプ溶液を自然落下により完全に型外に排出することができる。
【００３６】
上記請求項３の課題解決手段による作用は次の通りである。卵状形状もしくは球状形状もしくは楕円状形状の成形体を形成する成形部の成形型内に前記パルプ材のパルプ溶解液を流し込んで充填する場合において、比較的大きな唯一孔をパルプ溶解液吸入用の吸引口とすることで成形型内のパルプ溶解液の流が均等化することにより、均一な厚みの殻の形成が容易にできる。
【００３７】
また、比較的大きな孔を唯一孔とすることにより、成形体を脱型乾燥する工程での成形体の変形などの欠点を回避し、成形体の強度と剛性を高めることができる。
【００３８】
また、唯一孔を特徴とする卵状形状もしくは球状形状もしくは楕円状形状の容器を巣箱もしくはベッドとして用いる場合、唯一孔の形状を小動物等の出入りに必要な最適径とすることで容器の防御性、機密性、保温性、遮光性、遮音性を確保することができる。
【考案を実施するための最良の形態】
【００３９】
以下、上記した本考案に係る小鳥、小型哺乳類及び犬、猫等小動物用の球体形状の容器の実施の形態を、図面を参照しながら詳細に説明する。
なお、図１は本考案に係る卵状形状容器の一実施の形態を概念的に示した上方視斜視図、図２は図１における卵状形状容器の下方視斜視図である。
また、図３は図１における卵状形状容器のＡ−Ａ´線に沿う部分の断面図、図４は図１におけるＢ−Ｂ´線に沿う部分の断面図、図５はパルプモールド湿式吸引成形法の一般的な模式図である。
また、図６は上記成形法による成形型の断面構造図である。図７は卵状形状の頂上間の比較的曲率の大きな面に孔を形成するための成形型の略式図、図８は球状形状の頂上付に孔を形成するための成形型の略式図、図９は楕円状形状の頂上間の比較的曲率の大きな面に孔を形成するための成形型の略式図、図１０（Ａ）は卵状形状に成形された実施例を概念的に示した上方視斜視図、図１０（Ｂ）は球状形状に成形された実施例を概念的に示した上方視斜視図、図１０（Ｃ）は楕円状形状に成形された実施例を概念的に示した上方視斜視図である。
【００４０】
図示した本考案に係る卵状形状の容器１は、全面曲面の薄い殻１０と出入口孔１１から構成されている。
【００４１】
上記卵状形状の容器本体１は、パルプを素材とした均一な厚みをもつ薄い曲面の殻で構成されている。
【００４２】
図５は、本考案の球体形状の容器を成形する場合の湿式吸引法の一般的な概念図である。図５、図６に基づいて、以下に記述する。
【００４３】
まず、ＯＡ古紙、段ボール古紙等の古紙２０を、水が充填されたパルプ溶解機３０内で離解させながら混合する。
【００４４】
パルプ溶解液３２は、ＯＡ古紙に対し段ボール古紙、牛乳古紙、新聞古紙等の配合量が５〜５０重量％に調整したものが好ましく、また、パルプ固形分濃度が１〜３重量％程度となるように水分調整することが好ましい。
【００４５】
また、パルプ溶解液３２に耐水剤、撥水剤、防湿剤、防黴剤、着色剤等の添加剤を配合させておくことで、パルプ層の薄い曲面で形成される成形体に各種添加剤の機能に応じた機能を付与することができる。
【００４６】
生成された古紙２０と水とからなるパルプ溶解液３２を、水分調整してパルプバット部３１内に充填させる。
【００４７】
次に、内面が卵状形状もしくは球状形状もしくは楕円状形状をなす成形型に脱水用の多数の小孔およびパルプ溶液吸入用の比較的大きな孔を穿孔し、表面に漉型金網を装着させた成形型３３をパルプ溶液中に浸漬し、成形型３３の内部に、パルプ溶解液３２を比較的大きな孔の吸引孔４３から吸引ポンプ３４で吸引して流し込み充填し、水分は多数の小孔で形成する脱水孔４４を通過させて成形部外に排出させ、成形型内表にパルプモールド溶液中のパルプを積層吸着させる。
【００４８】
内面が卵状形状もしくは球状形状もしくは楕円状形状をなす成形部の成形型内の漉形金網４５にステンレス製４０メッシュ、５０メッシュ、６０メッシュ等を用いることにより、成形体の外面が密で円滑であり、内面が粗であらい面を特徴とする球体形状の容器が形成できる。
【００４９】
次に、成形型内表面にパルプモールド溶液中のパルプを積層吸着させた成形型３３をパルプバット部３１から引き上げ、成形型の上型４１，下型４２を分離した後、成形体３７の形状に対応した取り出し型３５により吸引して成形型３３の内表面に積層吸着させた成形体３７を取り出す。
【００５０】
本例において、成形型３３はパルプ溶解液を流し込む吸引孔としての比較的大きな孔４３をパルプ溶解液に垂直状に接する位置した状態になるよう垂直方向に１８０度回転させて、パルプ溶解液３２へ浸漬して、パルプを吸着積層させて形成し、引き上げたのち再び垂直方向に１８０度回転させて成形型３３を分割して成形体３７を取り出す構造のものである。
【００５１】
次に、取り出し型３５により取り出した成形体３７を乾燥部３６へ移送させ、取り出し型３５から離型する。
【００５２】
なお、図５中３０は取り出し型３５の移送機構を示す。
【００５３】
乾燥工程の方法は、熱風乾燥、遠赤外乾燥などいかなる方法によっても構わない。
【００５４】
また、本考案の製法に使用する装置は本例に限定されることはない。
【００５５】
図６は、成形型断面の説明図である。一定の濃度に調整されたパルプ溶解液３２を入れたパルプバット部３１内に成形型３３（４０）を浸し、吸引ポンプ３４で比較的大きな孔の吸引口４３を経由して型内にパルプ溶液を充填する。型内のパルプ溶液は、漉形金網４５でパルプと水が分離され、水は多数の小孔の脱水孔４４を経て型外に排出され、パルプ層は型内に成形体３７として形成される。
【００５６】
卵状形状もしくは球状形状もしくは楕円状形状をなす球体形状の頂上付近もしくは頂上間の比較的曲率の大きな面に前記比較的大きな孔を形成する成形型にあって、図７は、卵状形状の頂上付近に孔を形成するための成形型の略式図、図８は球状形状の頂上付近に孔を形成するための成形型の略式図、図９は楕円状形状の頂上間の比較的曲率の大きな面に孔を形成するための成形型の略式図である。
【００５７】
また、成形体の全面を曲面の薄い殻で形成する構造とすることにより、パルプ溶解液中のパルプ濃度と吸引力と吸引時間を任意に調整することで、成形型内の原料溜まりや製品の肉厚の不均一を起こすことなく、目的とする肉厚の殻を容易に成型することができる。
【００５８】
また、全面が曲面の薄い殻で形成される成形体を、上下もしくは左右対称の形状とすることにより、成形体の最長径点もしくは最短径点を成形型の割面とすることにより、成形体の脱型に必要な抜き勾配の課題を解決しており、成形物の脱型が容易である。
【００５９】
また、薄い殻の曲面は、例えば円錐曲線、楕円曲線、放物線、双曲線、カッシニの卵形、カテナリー曲線等を用いた形状、もしくはこれらの組み合わせ、または自由曲線により最適条件で設計された形状であって構わない。
【００６０】
成形体は、成形する際にパルプ溶解液を型内に吸引する吸引口を成型後に小鳥、小型哺乳類及び犬、猫等小動物が出入りするための出入り口孔として、唯一孔として設けた形状で構成されている。
【００６１】
また、上記成形時の吸引口をそのまま動物の出入り口孔として用いても、あるいは成型後の吸引口形状の整形もしくは必要な経口を確保する目的で円筒カッター等の工具で再度穿孔をおこなっても差し支えない。
【００６２】
また、上記の実施の形態の容器１では卵状形状に形成しているが、図１０（Ａ）、図１０（Ｂ）、図１０（Ｃ）に示したように、利用する小鳥、小型哺乳類及び犬、猫等小動物別によって最適の寸法と卵状形状、球状形状、楕円状形状、その他の球体形状等を形成することが望ましい。
【００６３】
また、小鳥、小型哺乳類及び犬、猫等小動物が出入りするための出入り口孔についても使用する動物の形態に適合した孔経とすることが望ましい。
【００６４】
たとえば、小鳥の出入り口孔の場合は、小型のシジュウガラ、ヤマガラ、スズメで２．７ｍｍから３０ｍｍ径、中型のムクドリで４０ｍｍら５０ｍｍ径、大型のアオバズク、オシドリで１００ｍｍから１２０ｍｍ径とするなど、用いられる小動物の最適条件の吸引口径もしくは穿孔径とすることが望ましい。
【００６５】
卵状形状容器１は、図７、図８、図９に記載の実施例の形態以外でも、成形物の全面が曲面の薄い殻で成形される種々の成形体の成形が可能である。
【００６６】
該球体形状の容器を小鳥用巣箱、小哺乳類動物用ベッドとして屋外で用いる場合にあっては、出入り口孔から雨水の浸入が考えられることから、本発明の目的を逸脱しない範囲で容器底部に脱水用の小径孔を設けても差し支えない。
【００６７】
該球体形状の容器を屋外で小鳥用、小哺乳類動物用巣箱として用いる場合の樹木等への取り付け方法については、結縄もしくは接着などの方法であっても構わないが、耐水性のある紙紐、紙ベルトあるいは植物原料由来の接着剤等の生分解性の材料を用いることが望ましい。
【００６８】
以上、本考案に係る小鳥、小型哺乳類及び犬、猫等小動物用球体形状容器の実施の形態を説明したが、本考案は、何ら既述の実施の形態に限定されず、実用新案登録請求の範囲に記載した本考案の技術的思想の範囲内において、更に種々の変形及び変更が可能であることは当然である。
【図面の簡単な説明】
【００６９】
【図１】本考案に係る卵状形状容器の一実施の形態を概念的に示した上方視斜視図。
【図２】図１における卵状形状容器の下方視斜視図。
【図３】図１における卵状形状容器のＡ−Ａ´線に沿う部分の断面図。
【図４】図１における卵状形状容器のＢ−Ｂ´線に沿う部分の断面図。
【図５】反転式湿式吸引法による成型法の一般的な概念図。
【図６】実施例における、成形工程における成形型の断面図を示す説明図。
【図７】卵状形状の頂上間の比較的曲率の大きな面に孔を形成するための成形型の略式図。
【図８】球状形状の頂上付に孔を形成するための成形型の略式図。
【図９】楕円状形状の頂上間の比較的曲率の大きな面に孔を形成するための成形型の略式図。
【図１０】（Ａ）は卵状形状に成形された実施形態を示した概念的な上方視斜視図、（Ｂ）は球状形状に成形された実施形態を示した概念的な上方視斜視図、（Ｃ）は楕円状形状に成形された実施形態を示した概念的な上方視斜視図。
【符号の説明】
【００７０】
１      小鳥、小型哺乳類及び犬、猫等小動物用の卵状形状の容器
１０    全面が曲面の薄い殻で形成される殻構造
１１    吸引口及び出入り口孔
２０    古紙
３０    パルプ溶解機
３１    パルプバット部
３２    パルプ溶解液
３３    成形型
３４    吸引ポンプ
３５    取り出し型
３６    乾燥部
３７    成形体
４０    成形型断面
４１    上型
４２    下型
４３    吸引口
４４    脱水孔
４５    漉形金網
【図１】
0003130216.tif 000003
【図２】
0003130216.tif 000004
【図３】
0003130216.tif 000005
【図４】
0003130216.tif 000006
【図５】
0003130216.tif 000007
【図６】
0003130216.tif 000008
【図７】
0003130216.tif 000009
【図８】
0003130216.tif 000010
【図９】
0003130216.tif 000011
【図１０】
0003130216.tif 000012